(57)【要約】【課題】ユーザがプリントした複数枚の写真をまとめて整理する際に有効なインデックス部分を含む見栄えのよいタグプリントを作成することが可能な写真処理装置を提供する。【解決手段】写真プリント装置１は、通常の写真プリントＰを行う第１処理部として、プリント選択部３３ａ、補正内容設定部３４ａおよび補正画像作成部３５ａを備えている。写真プリント装置１は、タグプリントＴＰを作成する第２処理部として、ＴＰ選択部３３ｂ、ＴＰ内容設定部３４ｂおよびＴＰ作成部３５ｂを備えている。ＴＰ選択部３３ｂ、ＴＰ内容設定部３４ｂおよびＴＰ作成部３５ｂは、文字情報と画像情報、デザイン情報を含むタグプリントＴＰ１，ＴＰ２を作成する。【選択図】図２
2009223166.tif 000002
【特許請求の範囲】
【請求項１】
画像情報に基づいてシート材に対して写真プリントを行う写真処理装置であって、
前記シート材に対して通常サイズのプリント処理を行う第１処理部と、
通常のプリントサイズから少なくとも一部が突出した突出部を有し、前記シート材に対して前記画像情報や文字情報を含むタグプリントのプリント処理を行う第２処理部と、
前記通常サイズのプリントおよび前記タグプリントのオーダを受け付ける受付部と、
前記受付部における前記オーダの内容に応じて、前記通常サイズのプリントと前記タグプリントとのいずれかを選択的に出力するように、前記第１・第２処理部を制御する制御部と、
を備えている写真処理装置。
【請求項２】
前記通常サイズのプリントと前記タグプリントとの選択を促す画面を表示する表示部をさらに備えている、
請求項１に記載の写真処理装置。
【請求項３】
前記第２処理部は、前記タグプリントの前記突出部に対して、前記文字情報に基づいてプリント処理を行う、
請求項１または２に記載の写真処理装置。
【請求項４】
前記第２処理部は、前記タグプリントの前記通常サイズと重複する領域に対して、前記画像情報に基づいて複数の画像を形成する、
請求項１から３のいずれか１項に記載の写真処理装置。
【請求項５】
前記第２処理部は、前記タグプリントの前記突出部に対して切取り線を形成する、
請求項１から４のいずれか１項に記載の写真処理装置。
【請求項６】
前記第２処理部は、前記突出部における任意の位置に前記切取り線を形成する、
請求項５に記載の写真処理装置。
【請求項７】
前記受付部は、インターネットを介して、前記オーダを受け付ける、
請求項１から６のいずれか１項に記載の写真処理装置。
【発明の詳細な説明】
【技術分野】
【０００１】
本発明は、画像情報に基づいて写真プリントを行う写真処理装置に関する。
【背景技術】
【０００２】
近年、デジタルカメラ等の撮影装置によって撮影された画像を取得して、印画紙に対して写真プリントするデジタルミニラボと呼ばれる写真処理装置が用いられている。
例えば、特許文献１には、写真プリントよりも大きいサイズのインデックスプリントを１オーダ分の写真プリントの焼付処理後に続けて行うことで、１コマずつ切断された写真プリントを１オーダごとに仕分して集積することが可能な写真プリント集積装置について開示されている。
【特許文献１】特開平９−２６６６０号公報（平成９年１月２８日公開）
【発明の開示】
【発明が解決しようとする課題】
【０００３】
しかしながら、上記従来の写真処理装置では、以下に示すような問題点を有している。
すなわち、上記公報に開示された写真処理装置では、ミニラボ店における集積作業の効率化を目的として、通常の写真プリントサイズよりも大判のインデックスプリントを出力するものである。よって、写真を注文した側のユーザが、例えば、１オーダに含まれる複数枚の写真を、イベントごとに箱等に入れて整理する際に用いられるような、デザインやサムネイル画像等を含むインデックスとして使用することはできない。
【０００４】
本発明の課題は、ユーザがプリントした複数枚の写真をまとめて整理する際に有効なインデックス部分を含む見栄えのよいタグプリントを作成することが可能な写真処理装置を提供することにある。
【課題を解決するための手段】
【０００５】
第１の発明に係る写真処理装置は、画像情報に基づいてシート材に対して写真プリントを行う写真処理装置であって、第１処理部と、第２処理部と、受付部と、制御部と、を備えている。第１処理部は、シート材に対して通常サイズのプリント処理を行う。第２処理部は、通常のプリントサイズから少なくとも一部が突出した突出部を有し、シート材に対して画像情報や文字情報を含むタグプリントのプリント処理を行う。受付部は、通常サイズのプリントおよびタグプリントのオーダを受け付ける。制御部は、受付部におけるオーダの内容に応じて、通常サイズのプリントとタグプリントとのいずれかを選択的に出力するように、第１・第２処理部を制御する。
【０００６】
ここでは、印画紙等のシート材に対してプリント処理を行う写真処理装置において、受付内容に応じて通常の写真プリントとインデックスとして使用する一部が突出したタグプリントとを選択可能とし、選択されたサイズのプリント処理を行う。
ここで、本発明に係る写真処理装置は、ミニラボ店等の店頭に設置された受付端末であってもよいし、インターネットを介して注文を受け付けるネットプリント等であってもよい。また、タグプリントには、写真サイズの縦横一方の辺の全てが突出するものや、インデックスのように一部のみが突出したものであって、所望の画像や文字、デザインを含むものが含まれる。さらに、オーダの内容とは、注文者による直接入力や１オーダに含まれる日付情報等に基づくタグプリントの出力タイミングや、タグプリントのデザインや文字入力等の情報が含まれる。なお、タグプリントの出力タイミングとしては、ユーザが所望の位置（例えば、撮影日時が変わる位置等）に挿入するタイミングであってもよいし、１オーダの出力が終了した後で複数のタグプリントをまとめて出力してもよい。
【０００７】
これにより、例えば、ユーザが直接入力したオーダの内容に基づいて、所望の順番で、所望のデザイン、文字等がプリントされたタグプリントを通常プリントとともに出力することができる。よって、注文者であるユーザは、注文した複数枚の写真をタグプリントによって適切な位置で仕切りながら箱等に入れてそのままの状態で容易に整理することができる。
【０００８】
第２の発明に係る写真処理装置は、第１の発明に係る写真処理装置であって、通常サイズのプリントとタグプリントとの選択を促す画面を表示する表示部をさらに備えている。
ここでは、ミニラボ店等の店頭において、受付端末等を直接操作するユーザに対して、表示画面を介して、出力するプリントの種類（通常プリント、タグプリント）の選択を受け付ける。
【０００９】
ここで、表示部は、例えば、タッチパネル式の入力部を備えたものであってもよいし、パソコンのマウス等を用いて表示画面上のカーソルを移動させて設定入力を行うものであってもよい。
これにより、ミニラボ店等の店頭において、ユーザが直接所望のタグプリントを交えながら写真をオーダすることができる。よって、ユーザとしては、プリント出力後の整理まで踏まえて写真をオーダすることができる。
【００１０】
第３の発明に係る写真処理装置は、第１または第２の発明に係る写真処理装置であって、第２処理部は、タグプリントの突出部に対して、文字情報に基づいてプリント処理を行う。
ここでは、通常のプリントサイズの外周からタグ状に突出する突出部に対して、日付やイベント名等の文字情報を形成する。
これにより、タグプリントの用途として、単なる仕切りシートとしてではなく、イベント名等を含むしおりとして使用することができる。よって、ユーザとしては、デザインや文字情報を含むタグプリントを、写真の整理用としてさらに有効に活用することができる。
【００１１】
第４の発明に係る写真処理装置は、第１から第３の発明のいずれか１つに係る写真処理装置であって、第２処理部は、タグプリントの通常サイズと重複する領域に対して、画像情報に基づいて複数の画像を形成する。
【００１２】
ここでは、タグプリントにおける通常サイズと重複する領域に対して、例えば、サムネイル画像等のような複数の画像を形成する。
ここで、タグプリントに形成される複数の画像としては、タグ状の突出部を上方に向けた状態において、中央より上半分寄りに形成されたもの等が考えられる。また、タグプリントに形成される複数の画像としては、オーダ内の最初の数枚を自動的に選択してもよいし、ユーザが印象的な写真を選択してもよい。
【００１３】
これにより、箱等に入れて整理された写真の束を見返す際等において、例えば、印象的な写真をタグプリントに形成しておくことで、箱等に整理された状態で入れられた写真を容易に取り出すことができる。
【００１４】
第５の発明に係る写真処理装置は、第１から第４の発明のいずれか１つに係る写真処理装置であって、第２処理部は、タグプリントの突出部に対して切取り線を形成する。
ここでは、例えば、通常サイズから一辺分の全てが突出した突出部に対して、タグ状にするための切取り線を形成する。
これにより、写真処理装置において、略四角形のプリント処理しか実行できない構成であっても、出力後にユーザがはさみ等を用いてタグ状の突出部に容易に加工することができる。よって、突出部に入れられる文字情報と切取り線とを組み合わせて形成することで、ユーザの好みに合わせて使い勝手のよいタグプリントを、簡易な構成の装置によって出力することができる。
【００１５】
第６の発明に係る写真処理装置は、第５の発明に係る写真処理装置であって、第２処理部は、突出部における任意の位置に切取り線を形成する。
ここでは、タグ状の突出部を形成するための切取り線の位置を、突出部における任意の位置に設定可能である。
これにより、ユーザの好みに応じて、適当な大きさのタグ状の突出部を、出力後にはさみ等で容易に加工することができる。
【００１６】
第７の発明に係る写真処理装置は、第１から第６の発明のいずれか１つに係る写真処理装置であって、受付部は、インターネットを介して、オーダを受け付ける。
ここでは、インターネットを介してオーダを受け付けるネットプリントに対して、本発明の写真処理装置を適用する。
これにより、出力された写真の整理に用いられるタグプリントを含むオーダを、インターネットを介して気軽に行うことができる。
【発明の効果】
【００１７】
本発明に係る写真処理装置によれば、例えば、ユーザが直接入力したオーダの内容に基づいて、所望の順番で、所望のデザイン、文字等がプリントされたタグプリントを通常プリントとともに出力することができる。
【発明を実施するための最良の形態】
【００１８】
本発明の一実施形態に係る写真プリント装置（写真処理装置）１について、図１〜図８を用いて説明すれば以下の通りである。
［写真プリント装置１の全体構成］
本発明の一実施形態に係る写真プリント装置１は、図１に示すように、写真プリント店（ミニラボ店）の店頭に設置される店頭受付機である。また、写真プリント装置１は、ＣＤ−ＲやＵＳＢメモリを含む各種記録メディアやカメラ付き携帯電話等から画像データを取得して必要なプリント枚数、画像処理の内容がユーザによって入力されると、入力内容を反映させて写真プリントやタグプリントＴＰ１，ＴＰ２（図６および図７参照）の出力を行う。そして、写真プリント装置１は、モニタ（表示部）１１等を含む端末機（受付端末）２と、プリンタ３と、操作ステーション４とを備えている。
【００１９】
タグプリントＴＰ１，ＴＰ２は、図３に示す選択画面においてタグプリントが選択された結果、ユーザの好みに応じた内容で作成されるものであって、図６および図７に示すように、通常の写真プリントのサイズＳ１，Ｓ２に対して一部が突出したタグＴ１，Ｔ２を有している。タグプリントＴＰ１は、通常の写真プリントのサイズＳ１の領域の上半分に複数のサムネイル画像を表示したものであり、上辺の一部が突出したタグＴ１を有している。タグプリントＴＰ２は、通常の写真プリントのサイズＳ２の領域に書き込み可能なデザイン部分が形成されており、上辺の全体に渡って突出するタグＴ２を有している。タグＴ１，Ｔ２には、各写真プリントの日付やイベントに関する情報が記入され、写真プリントを整理する際のインデックスとして機能する。このようなタグプリントＴＰ１，ＴＰ２は、図８に示すように、出力した写真プリントＰを収納する箱Ｂ内で写真プリントＰの束を仕切ることで、見栄えもよく整理された状態で写真プリントＰを保管することができる。なお、このようなタグプリントＴＰと通常サイズのプリントとを作成する際には、プリンタ３の内部において印画紙の切断長を調整することで、容易に切り替え可能となっている。
【００２０】
端末機２は、操作ステーション４を介してプリンタ３と接続されており、モニタ１１、メディアリーダ１２、赤外線受光部１３、ＣＤ（コンパクトディスク）ドライブ１４、ＦＤ（フロッピー（登録商標）ディスク）ドライブ１５を備えている。
プリンタ３は、端末機２において取得された画像データを、ユーザによって設定されたプリント枚数、画像処理内容に基づいて写真プリント処理を行うとともに、ユーザによって選択・作成されたタグプリントＴＰ１，ＴＰ２のプリント処理を行う。また、プリンタ３は、操作ステーション４において設定された補正内容等を反映させてプリント処理を行う。
【００２１】
モニタ１１は、タッチパネル式の表示装置であって、プリント枚数や画像処理内容の設定等がアイコンやボタン等の押下によって直接入力される。
メディアリーダ１２は、各種記録メディアに対応することができるように複数種類設けられており、挿入された記録メディアから画像データを取得する。
赤外線受光部１３は、カメラ付き携帯電話から赤外線送信される画像データを、赤外線通信を通じて取得する。なお、カメラ付き携帯電話からの画像データの取得は、赤外線通信に限らず、専用ケーブル等を用いて行うことも可能である。
【００２２】
ＣＤドライブ１４およびＦＤドライブ１５は、ＣＤ−Ｒ／ＲＷ、ＦＤがそれぞれ挿入され、記録された画像データを取得する。また、ＣＤドライブ１４については、画像処理後の画像データを記録することもできる。
また、写真プリント装置１は、図２に示すような制御ブロックを備えている。この制御ブロックは、写真プリント装置１が内蔵するメモリ３０に格納されている画像処理プログラムをＣＰＵが読み取って形成される機能ブロックとして、画像入力部３１と、指示入力部３２と、プリント選択部（第１処理部）３３ａと、補正内容設定部（第１処理部）３４ａと、補正画像作成部（第１処理部）３５ａと、ＴＰ（タグプリント）選択部（第２処理部）３３ｂと、ＴＰ内容設定部（第２処理部）３４ｂと、ＴＰ作成部（第２処理部）３５ｂと、ビデオ制御部３７と、プリントデータ生成部３８と、を備えている。
【００２３】
画像入力部３１は、メディアリーダ１２、赤外線受光部１３、ＣＤドライブ１４およびＦＤドライブ１５から画像データを取り込んで、次の処理のために必要な前処理を行うとともに画像補正における元画像データとしてメモリ３０に送信する。このとき、画像入力部３１は、１つの撮影コマ画像を表す画像データとして高解像度データと低解像度データの２種類をメモリ３０に記憶させる。これにより、画像補正における各種画像処理内容の設定を行う際には、低解像度データを用いて効率よく画像処理の設定を行うことができる。この結果、この低解像度データを用いて決定された補正内容に基づいて高解像度データを補正することで、ＣＰＵの計算負荷を低減することができる。
【００２４】
指示入力部３２は、各種ウインドウや各種操作ボタンなどを含むグラフィック操作画面を作成し、このグラフィック操作画面を通じてタッチパネルとしてのモニタ１１を介してユーザからの指示入力を受け付ける。
プリント選択部３３ａは、通常のプリント処理を行う画像データの選択に関する指示入力を受け付ける。
【００２５】
補正内容設定部３４ａは、プリント処理を行うものとして選択された画像データに対して、赤目補正等を含む補正処理を行うための補正内容を設定する。例えば、赤目補正パラメータとしては、彩度引き、ブルー化、グレー塗りつぶし、ブルーグリーン化、金目処理等が挙げられる。補正内容設定部３４ａには、これらの補正パラメータの種類とその補正度合いとが設定される。
【００２６】
補正画像作成部３５ａは、補正内容設定部３４ａにおいて選択された補正内容の補正パラメータの種類とその補正度合いとに基づいて、メモリ３０に記憶されている低解像度画像データの該当部分を補正する。
ＴＰ選択部３３ｂは、プリント選択画面４０（図３参照）においてタグプリントが選択された場合に、所定のタグ選択画面４１（図４参照）を介してタグＴ１，Ｔ２の選択に関する指示入力を受け付ける。
【００２７】
ＴＰ内容設定部３４ｂは、所定のタグプリント構成選択画面４２（図５参照）を介してタグプリントＴＰ１，ＴＰ２のタグＴ１，Ｔ２の種類や構成に関する設定を行う。具体的には、サムネイル画像を含む構成や文字記入欄を含む各種デザインのいずれかの選択を行う。
ＴＰ作成部３５ｂは、ＴＰ内容設定部３４ｂにおける設定内容に基づいて、タグプリントＴＰ１，ＴＰ２のデータを作成する。
【００２８】
ビデオ制御部３７は、赤目補正等のプリントソース画像や予想仕上がりプリント画像としての補正候補画像、タグプリントＴＰの生成画像、さらには指示入力部３２から送信されてきた指示内容に基づいてモニタ１１に表示させるためのビデオ信号を生成する。
プリントデータ生成部３８は、確定した補正を含む画像データやタグプリントＴＰ１，ＴＰ２のデータに基づいてプリンタに適合するプリントデータを生成し、プリンタ３に対して送信する。
【００２９】
＜タグプリントＴＰの作成手順＞
本実施形態では、上述した写真プリント装置１を用いて、通常の写真プリントＰの出力に加えて、タグプリントＴＰの出力を行う。
具体的には、写真プリント装置１は、まず、モニタ１１の表示画面として、図３に示すように、プリント選択画面４０を表示する。ここでは、店頭で写真プリントを注文するユーザは、プリント選択画面４０を介して、通常の写真プリントである「通常プリント」、特殊なプリント形状である「ましかくプリント」、ＣＤ−ＲＯＭ等への「メディア出力」、「アルバムプリント」、「カラフルプリント」および「タグプリント」の中から所望の処理を選択する。
【００３０】
次に、写真プリント装置１は、図３に示すプリント選択画面４０において「タグプリント」が選択された場合には、図４に示すタグ選択画面４１をモニタ１１に表示する。ここでは、ユーザは、タグの種類を「タグＡ」および「タグＢ」の中から選択する。なお、「タグＡ」は、通常の写真プリントのサイズから上辺の一部のみが突出したインデックス部分を含むタグプリントである（図６のタグプリントＴＰ１参照）。一方、「タグＢ」は、通常の写真プリントのサイズから上辺の全体が突出したインデックス部分を含むタグプリントである（図７のタグプリントＴＰ２参照）。
【００３１】
次に、写真プリント装置１は、図５に示すように、タグプリントの種類を選択するためのタグプリント構成選択画面４２を表示する。ここでは、ユーザは、図６に示すタグプリントＴＰ１のように、サムネイル画像を含むタグプリントＴＰ１を作成するか、あるいは図７に示すタグプリントＴＰ２のように、書き込み部分を含むデザイン的なタグプリントＴＰ２を作成するか、を選択する。
【００３２】
なお、図６に示すように、複数のサムネイル画像を含むタグプリントＴＰ１を形成した場合には、以下のようなメリットがある。すなわち、図８に示すように、箱Ｂ内に整理した写真の束を収納して保管する際にも、写真を少しめくるだけでサムネイル画像を確認して何の（いつの）写真なのかを容易に認識することができる。また、タグプリントＴＰ１の上半分にサムネイル画像を配置することで、タグプリントＴＰ１を箱Ｂから引き出さなくても容易にサムネイル画像を確認することができる。
一方、図７に示すように、記入欄を含むデザイン的なタグプリントＴＰ２を形成した場合には、箱Ｂに収納して写真プリントＰを整理する場合に見栄えのよい状態で、好きな文字を自ら記入して保管することができる。
【００３３】
＜特徴＞
本実施形態の写真プリント装置１は、図２に示すように、通常の写真プリントＰを行う第１処理部として、プリント選択部３３ａ、補正内容設定部３４ａおよび補正画像作成部３５ａを備えている。さらに、写真プリント装置１は、タグプリントＴＰを作成する第２処理部として、ＴＰ選択部３３ｂ、ＴＰ内容設定部３４ｂおよびＴＰ作成部３５ｂを備えている。ＴＰ選択部３３ｂ、ＴＰ内容設定部３４ｂおよびＴＰ作成部３５ｂは、図６および図７に示すように、文字情報と画像情報、デザイン情報を含むタグプリントＴＰ１，ＴＰ２を作成する。
【００３４】
これにより、ミニラボ店等の店頭に設置された端末機３（写真プリント装置１）を使用するユーザは、写真プリントＰを出力する際に文字情報や画像情報等を含むタグプリントＴＰ１，ＴＰ２を、通常の写真プリントＰとともに出力することができる。この結果、ユーザは、出力した写真プリントＰを１枚ずつアルバムに入れる手間をかけることなく、図８に示すように、出力した後の写真プリントＰの束を箱Ｂに入れ、タグプリントＴＰ１，ＴＰ２で仕切りながら見栄えよく整理することができる。
【００３５】
［他の実施形態］
以上、本発明の一実施形態について説明したが、本発明は上記実施形態に限定されるものではなく、発明の要旨を逸脱しない範囲で種々の変更が可能である。
【００３６】
（Ａ）
上記実施形態では、ミニラボ店等の店頭に設置される端末機３（写真プリント装置１）を介して、注文者からのオーダを直接受け付ける例を挙げて説明した。しかし、本発明はこれに限定されるものではない。
例えば、図９に示すように、注文者からインターネットを介してオーダを受け付ける、いわゆるネットプリントに対して、本発明を適用してもよい。
この場合には、注文者は、端末機３等の設置店まで行かなくても、自宅等においてＰＣを用いてタグプリントを含む写真の注文を行うことで、写真プリント装置１０１ａ〜１０１ｄを用いてタグプリントＴＰを含む写真プリントを郵送等の手段を介して得ることができる。
【００３７】
（Ｂ）
上記実施形態では、本発明の写真プリント装置１によって出力されるタグプリントとして、図６および図７に示すように、一部が突出したタグＴ１を含むタグプリントＴＰ１や帯状のタグＴ２を含むタグプリントＴＰ２を例として挙げて説明した。しかし、本発明はこれに限定されるものではない。
【００３８】
例えば、図１０に示すように、通常のプリントサイズＳ３の上部に形成された帯状のタグＴ３の部分に、切取り線ＣＬが形成されたタグプリントＴＰ３を出力してもよい。
この場合には、注文者は出力されたタグプリントＴＰ３のタグＴ３部分の切取り線ＣＬに沿ってはさみ等でカットすることで、所望のタグを形成することができる。さらに、写真プリント装置内にタグの部分をタグＴ１のような形状に加工する加工装置が不要となるため装置のコストダウンを図ることができる。
【００３９】
（Ｃ）
上記実施形態では、ミニラボ店等の店頭に設置される受付端末（写真プリント装置１）に対して、本発明を適用した例を挙げて説明した。しかし、本発明はこれに限定されるものではない。
例えば、店頭に設置される受付端末以外にも、操作ステーション４において写真プリント店のオペレータがタグプリントに関する各種注文入力操作を行うようにしてもよい。
【００４０】
（Ｄ）
上記実施形態では、最初の表示画面おいて、通常のプリント処理の注文を行うか、タグプリントＴＰの注文を行うかを選択する例を挙げて説明した。しかし、本発明はこれに限定されるものではない。
例えば、通常のプリント処理の注文を行った後、タグプリントの作成を行うか否かを確認するための画面を表示するようにしてもよい。
【産業上の利用可能性】
【００４１】
本発明の写真処理装置は、例えば、ユーザが直接入力したオーダの内容に基づいて、所望の順番で、所望のデザイン、文字等がプリントされたタグプリントを通常プリントとともに出力することができるという効果を奏することから、銀塩方式やインクジェット方式等を含む各種写真処理装置に対して広く適用可能である。
【図面の簡単な説明】
【００４２】
【図１】本発明の一実施形態に係る写真プリント装置を示す外観図。
【図２】図１の写真プリント装置が形成する制御ブロック図。
【図３】図１の写真プリント装置のモニタに表示される選択画面を示す図。
【図４】図１の写真プリント装置のモニタに表示されるタグの種類の選択画面を示す図。
【図５】図１の写真プリント装置のモニタに表示されるタグの構成の設定画面を示す図。
【図６】図１の写真プリント装置から出力されたタグプリントの一例の構成を示す図。
【図７】図１の写真プリント装置から出力されたタグプリントの他の例の構成を示す図。
【図８】図１の写真プリント装置から出力されたタグプリントを含む写真を箱に入れて整理した状態を示す斜視図。
【図９】本発明の他の実施形態に係るインターネットを介した注文システムの構成を示す図。
【図１０】本発明の他の実施形態に係る写真プリント装置によって出力されたタグプリントの構成を示す図。
【符号の説明】
【００４３】
１      写真プリント装置（写真処理装置）
２      端末機
３      プリンタ
４      操作ステーション
１１      モニタ（表示部）
１２      メディアリーダ
１３      赤外線受光部
１４      ＣＤ（コンパクトディスク）ドライブ
１５      ＦＤ（フロッピー（登録商標）ディスク）ドライブ
３０      メモリ
３１      画像入力部
３２      指示入力部
３３ａ    プリント選択部（第１処理部）
３４ａ    補正内容設定部（第１処理部）
３５ａ    補正画像作成部（第１処理部）
３３ｂ    ＴＰ（タグプリント）選択部（第２処理部）
３４ｂ    ＴＰ内容設定部（第２処理部）
３５ｂ    ＴＰ作成部（第２処理部）
３７      ビデオ制御部
３８      プリントデータ生成部
４０      プリント選択画面
４１      タグ選択画面
４２      タグプリント構成選択画面
１０１ａ〜１０１ｄ  写真プリント装置
Ｂ      箱
Ｐ      写真プリント
Ｓ１〜Ｓ３  通常の写真プリントのサイズ
Ｔ１〜Ｔ３  タグ
ＴＰ      タグプリント
ＴＰ１〜ＴＰ３  タグプリント
ＣＬ      切取り線
【図１】
2009223166.tif 000003
【図２】
2009223166.tif 000004
【図３】
2009223166.tif 000005
【図４】
2009223166.tif 000006
【図５】
2009223166.tif 000007
【図６】
2009223166.tif 000008
【図７】
2009223166.tif 000009
【図８】
2009223166.tif 000010
【図９】
2009223166.tif 000011
【図１０】
2009223166.tif 000012